(57)【特許請求の範囲】
【請求項１】
箱形のソケット本体に蛍光灯のランプピンを挿入する挿入穴を設け、該挿入穴の内側に一対の接触片を設けて、前記ランプピンを挿入穴に挿入して回動させ前記接触片に接触するようにした蛍光灯ソケットにおいて、
前記それぞれの接触片を帯状の導電材料のほぼ中央部でひねってその両側の面を直交させた第１、第２の面部を構成し、前記第１の面部の面部どうしを対向させると共に前記第２の面部の側縁部どうしを対向させ、前記第１の面部のそれぞれの先端部をソケット本体に取り付け、前記ランプピンを回動したときに該ランプピンが前記第２の面部のそれぞれの側縁部に接触するようにしたことを特徴とする蛍光灯ソケット。
【請求項２】
各接触片の第１の面部の先端部を外側にほぼ直角に折り曲げて該折曲部の中央部近傍を切り起して外側方向に傾斜させ、該折曲部をソケット本体に取付けたことを特徴とする請求項１記載の蛍光灯ソケット。
【請求項３】
第２の面部の側縁部にランプピンを係止する溝部を設けたことを特徴とする請求項１又は２記載の蛍光灯ソケット。
【請求項４】
溝部を半円状にしたことを特徴とする請求項３記載の蛍光灯ソケット。
【請求項５】
溝部を凹状にしたことを特徴とする請求項３記載の蛍光灯ソケット。
【請求項６】
溝部を三角状にしたことを特徴とする請求項３記載の蛍光灯ソケット。
【発明の詳細な説明】
【０００１】
【発明の属する技術分野】
本発明は、蛍光灯ソケットに係り、より詳しくは、ランプの装着が容易でランプピンが変形したり、接触不良に起因しての焼損事故等を発生するおそれのない蛍光灯ソケットに関するものである。
【０００２】
【従来の技術】
図４は、例えば実公昭５９−２４１５８号公報に開示された従来の蛍光灯ソケットの一例を示す分解斜視図、図５はその要部の接触ばねの正面図及び縦断面図である。この蛍光灯ソケットは、ソケット本体３０にランプピンの挿入穴３１を設け、この挿入穴３１の内側に、対向位置にソケット本体の内側に向かって円弧状に斜めに突出した立上り部３３ａ，３３ｂを有する一対の接触ばね３２ａ，３２ｂを取り付けたものである。
【０００３】
そして、ランプの一対のランプピンを挿入穴３１に挿入して回動すると、ランプピンが接触ばね３２ａ，３２ｂの立上り部３３ａ，３３ｂの内側に線接触して回動し、接触ばね３２ａ，３２ｂを後方に屈曲させるようにして接続する。
【０００４】
【発明が解決しようとする課題】
上記のように構成した蛍光灯ソケットによれば、ランプピンを取り付ける際に接触ばね３２ａ，３２ｂの後方に大きな力が加わり、ランプピンにかかる荷重によりランプピンが変形してランプが装着できなかったりする場合、あるいは、ランプピンが変形することにより接触ばねとの接触抵抗が増え、接触部の温度が上昇して焼損事故につながる問題が発生する場合があった。
【０００５】
本発明は上記のような課題を解決するためになされたもので、蛍光灯ソケットにランプを装着する際に、ランプピンにかかる荷重が適切でランプを容易に装着でき、ランプピンが変形せず、焼損事故等が発生することのない蛍光灯ソケットを得ることを目的とする。
【０００６】
【課題を解決するための手段】
本発明に係る蛍光灯ソケットは、次のように構成したものである。
（１）  箱形のソケット本体に蛍光灯のランプピンを挿入する挿入穴を設け、挿入穴の内側に一対の接触片を設けて、ランプピンを挿入穴に挿入して回動させ前記接触片に接触するようにした蛍光灯ソケットであって、それぞれの接触片を帯状の導電材料のほぼ中央部でひねってその両側の面を直交させた第１、第２の面部を構成し、第１の面部の面部どうしを対向させると共に第２の面部の側縁部どうしを対向させ、第１の面部のそれぞれの先端部をソケット本体に取り付け、ランプピンを回動したときにランプピが第２の面部のそれぞれの側縁部に接触するようにした。
【０００７】
（２）  上記（１）の蛍光灯ソケットにおいて、各接触片の第１の面部の先端部を外側にほぼ直角に折り曲げてこの折曲部の中央部近傍を切り起して外側方向に傾斜させ、折曲部をソケット本体に取付けた。
（３）  上記（１）または（２）の蛍光灯ソケットにおいて、第２の面部の側縁部にランプピンを係止する溝部を設けた。
【０００８】
（４）  上記（３）の蛍光灯ソケットにおいて、溝部を半円状にした。
（５）  上記（３）の蛍光灯ソケットにおいて、溝部を凹状にした。
（６）  上記（３）の蛍光灯ソケットにおいて、溝部を三角状にした。
【０００９】
【発明の実施の形態】
実施の形態１
図１は本発明の実施の形態１の分解斜視図、図２はその組立て状態の縦断面図、図３は図２の作用を示す背面図である。１は絶縁材料からなる箱形のソケット本体で、前面板２と側面３，４、上面５及び底面６からなる周壁によって形成され、内部に空洞部７を有している。そして、前面板２の上部はほぼ半円状に形成されて上面５はこれにあわせて曲面状に形成され、底面６は一定の厚みを持っている。
【００１０】
８は前面板２の上部に設けた円形のランプピン挿入穴で、一対のランプピン９を回動可能に挿入できるようになっている。１０はランプピン挿入穴８の上部にこれと連接して設けた差込溝で、前面板２から上面５の後部近傍にかけてＬ字状に形成されている。１１は上面５の差込溝１０後方に設けた本体係止部である。
【００１１】
１２は空間部７内において底面６の中央部に逆凹状に形成された中央支持部で、この両側には中央支持部１２の上面１２ａと同じ高さの側部支持板１３ａ，１３ｂが設けられ、中央支持部１２の支持側面１２ｃ，１２ｂとの間には一定の間隙１４ａ，１４ｂが形成されている。このようにして、側部支持板１３ａ，１３ｂと中央支持部１２の支持側面１２ｃ，１２ｂとによって囲まれた部分に脚部支持空間１５ａ，１５ｂが形成される。
１６ａ，１６ｂは底面６の背面の左右に設けたピン挿入穴であり、１７ａ，１７ｂは底面６の左右位置において垂直に貫設された電線挿入穴である。
【００１２】
１８ａ，１８ｂはソケット本体１の空洞部７内に収容された一対の帯状の導電材料からなる接触片で、長手方向のほぼ中央部（やや一方の側）において９０度ひねって、一方（上面部）１９ａ，１９ｂの面Ａが他方（下面部）２０ａ、２０ｂの面Ｂに対して直交するようにして捻り部２１ａ，２１ｂを形成し、また、下面部２０ａ，２０ｂの面Ｂの先端部は、それぞれが外方に直角に曲げられて脚部２３ａ，２３ｂを形成し、さらに脚部２３ａ，２３ｂの中央部近傍を切り起して上方に折り曲げ、外側に向けて傾斜部２４ａ，２４ｂを形成したものである。
【００１３】
そして、上記のように構成した一対の接触片１８ａ，１８ｂは、脚部２３ａ，２３ｂを外方に向けてソケット本体１の脚部支持空間１５ａ，１５ｂに嵌入し、下面部２０ａ，２０ｂの面Ｂを面対向させ、上面部１９ａ，１９ｂの厚さ方向に位置する側縁部の接触線２２ａ，２２ｂを線対向（上面部１９ａ，１９ｂの面Ａが同一平面上に位置するように配向）させて配設することにより、全体として弾力性を有するばね構造を形成している。この際、下面部２０ａ，２０ｂの面Ｂを中央支持部１２の支持側面１２ｃ，１２ｂに接触させ、間隙１４ａ，１４ｂを通して保持させる。なお、接触片１８ａ，１８ｂの脚部２３ａ，２３ｂには電線接続部２５ａ，２５ｂが設けられ、電線挿入穴１７ａ，１７ｂに挿通した電線（図示せず）を電気的に接続するようになっている。
【００１４】
そして、ランプピン９をランプピン挿入穴８に挿入して回動することにより、ランプピン９が接触片１８ａ，１８ｂの接触線２２ａ，２２ｂに線又は点接触し、ばね構造の付勢力に抗して接触片１８ａ，１８ｂを弾性変形させ、ランプピン９を取り付けるようになっている。
【００１５】
２６はソケット本体１の背面に取り付ける裏蓋であり、その頂部近傍にソケット本体１の本体係止部１１に係合する裏蓋係止部２７が設けられ、下部近傍の左右にソケット本体１のピン挿入穴１６ａ，１６ｂに嵌合する圧入ピン２８ａ，２８ｂが設けられている。
【００１６】
上記のように構成した実施の形態１の作用を説明する。蛍光灯ソケットを組み立てるには、まず、一方の接触片１８ａの脚部２３ａを外側に向くようにして脚部支持空間１５ａの底面に取り付け、下面部２０ａの面Ｂを中央支持部１２の支持側面１２ｃに接触させて間隙１４ａを通し、保持させる。同様にして、他方の接触片１８ｂを脚部支持空間１５ｂに取り付けて保持させ、これら一対の接触片１８ａ，１８ｂを空洞部７内に対向して配設する。
【００１７】
次に、ソケット本体１の後方から裏蓋２６を被せ、ソケット本体１の本体係止部１１に裏蓋係止部２７を係合させると共に、ソケット本体１のピン挿入穴１６ａ，１６ｂに圧入ピン２８ａ，２８ｂを圧入し、一体に結合する。そして、この蛍光灯ソケットを照明器具等に取付けて、電線接続穴１７ａ，１７ｂに挿通した電線を接触片１８ａ，１８ｂの電線接続部２５ａ，２５ｂに接続する。
【００１８】
次に、蛍光灯ソケットにランプ９ａを取り付けるには、ランプピン９をソケット本体１の差込溝１０から差し込んでランプピン挿入穴８の位置まで移動させ（図３の実線）、この状態からランプ９ａを矢印方向に回動させる。こうすると、ランプピン９が接触片１８ａ，１８ｂの接触線２２ａ，２２ａに線又は点接触し、ばね構造の接触片１８ａ，１８ｂを付勢力に抗して外側方向に弾性変形させ、ランプピン９が９０度回転したときに停止させる（図３の破線）。こうして、ランプピン９はその位置に保持され、一対の接触片１８ａ，１８ｂの付勢力によって電気的に接続される。
【００１９】
ランプ９ａを取り外すには、ランプ９ａのランプピン９を先と同方向又は逆方向に回動させ、ランプピン９が９０度回転したときに停止させると、ランプピン９は接触片１８ａ，１８ｂから外れて自由状態になり、ばね構造の接触片１８ａ，１８ｂは付勢力によって破線の位置から実線で示した状態に戻る。この状態で蛍光灯のランプピン９を差込穴１０から引き抜く。
実施の形態１によれば、蛍光灯ソケットにランプ９ａを接続するときに、取付け操作が容易でランプピン９が変形するおそれがなく確実に装着することができ、焼損事故等が発生することもない。
【００２０】
実施の形態２
実施の形態１では、接触片１８ａ，１８ｂの接触線２２ａ，２２ｂを直線状に形成し、これにランプピン９を線接触させて回動し、固定するようにしたが、実施の形態２ではランプピン９が固定される接触線２２ａ，２２ｂの位置にさらに半円形の溝部を設けたものである（図示せず）。
実施の形態２によれば、ランプピン９が接触線２２ａ，２２ｂに設けた半円形状の溝部に嵌合して停止するので、ランプピン９を確実に固定することができる。
【００２１】
実施の形態３
実施の形態１では、接触片１８ａ，１８ｂの接触線２２ａ，２２ｂを直線状に形成し、これにランプピン９を線又は点接触させて回動し、固定するようにしたが、実施の形態３ではランプピン９が固定される接触線２２ａ，２２ｂの位置にさらに凹状の溝部を設けたものである（図示せず）。
実施の形態３によれば、ランプピン９が接触線２２ａ，２２ｂに設けた凹状の溝部に嵌合して停止するので、ランプピン９を確実に固定することができる。
【００２２】
実施の形態４
実施の形態１では、接触片１８ａ，１８ｂの接触線２２ａ，２２ｂを直線状に形成し、これにランプピン９を線接触させて回動し、固定するようにしたが、実施の形態４ではランプピン９が固定される接触線２２ａ，２２ｂの位置にさらに三角形状の溝部を設けたものである（図示せず）。
実施の形態４によれば、ランプピン９が接触線２２ａ，２２ｂに設けた三角形状の溝部に嵌合して停止するので、ランプピン９を確実に固定することができる。
【００２３】
【発明の効果】
以上の説明から明らかなように、本発明にかかる蛍光灯ソケットによれば、次のような効果を得ることができる。なお、説明に当たっては、請求項の番号と同じ番号を付してそれぞれの請求項の効果を記述する。
【００２４】
（１）  箱形のソケット本体に蛍光灯のランプピンを挿入する挿入穴を設け、挿入穴の内側に一対の接触片を設けて、ランプピンを挿入穴に挿入して回動させ接触片に接触するようにした蛍光灯ソケットであって、それぞれの接触片を帯状の導電材料のほぼ中央部でひねってその両側の面を直交させた第１、第２の面部を構成し、第１の面部の面部どうしを対向させると共に第２の面部の側縁部どうしを対向させ、第１の面部のそれぞれの先端部をソケット本体に取り付け、ランプピンを回動したときにランプピが第２の面部のそれぞれの側縁部に接触するように構成したので、操作が容易でランプピンの変形が起こらず確実に装着することができる。
【００２５】
（２）  上記（１）の蛍光灯ソケットであって、各接触片の第１の面部の先端部を外側にほぼ直角に折り曲げてこの折曲部の中央部近傍を切り起して外側方向に傾斜させ、折曲部をソケット本体に取付けたので、接触片の先端部近傍をソケット本体に確実に固定でき、ばね構造としての機能を十分に発揮することができる。
またこの折曲部を電線接続部とすることができる。
【００２６】
（３）  上記（１）または（２）の蛍光灯ソケットであって、第２の面部の側縁部にランプピンを係止する溝部を設けたので、ラップピンが溝部に嵌合して確実に停止することができる。
（４）  上記（３）の蛍光灯ソケットにおいて、溝部を半円状にしたので、ラップピンが半円状の溝部に嵌合して確実に停止することができる。
【００２７】
（５）  上記（３）の蛍光灯ソケットにおいて、溝部を凹状にしたので、ランプピンが凹状の溝部に嵌合して確実に停止することができる。
た。
（６）  上記（３）の蛍光灯ソケットにおいて、溝部を三角状にしたので、ランプピンが三角状の溝部に嵌合して確実に停止することができる。
【図面の簡単な説明】
【図１】  本発明の実施の形態１の分解斜視図である。
【図２】  図１の組立状態の縦断面図である。
【図３】  図２の作用を示す背面図である。
【図４】  従来の蛍光灯ソケットの一例を示す分解斜視図である。
【図５】  図４の要部の正面図及び断面図である。
【符号の説明】
１  ソケット本体、８  ランプピン挿入穴、９  ランプピン、９ａ  ランプ、１８ａ，１８ｂ  接触片、１９ａ，１９ｂ  上面部、２０ａ、２０ｂ  下面部、２１ａ，２１ｂ  捻り部、２２ａ，２２ｂ  接触線、２３ａ，２３ｂ脚部、２４ａ，２４ｂ  傾斜部、２６  裏蓋。
【図１】
0003668883.tif 000002
【図２】
0003668883.tif 000003
【図３】
0003668883.tif 000004
【図４】
0003668883.tif 000005
【図５】
0003668883.tif 000006